(57)【特許請求の範囲】
【請求項１】
少なくとも水平面に対するその角度位置が個別に調整可能な一つのバッククッション(11)と、
水平面に対するその角度位置が同様に個別に調整可能な少なくとも一つのシートクッション(12)と
が回動可能に設けられたフレームを有する泌尿器科又は産婦人科用の診察・治療台において、
前記フレームが、
最下部分(14)と、
下端が前記最下部分(14)に回動可能に連結された回動アーム(15)と
を有し、
前記アーム(15)が、アーム(15)と共に、アーム(15)の上端に設けられたバッククッション(11)及びシートクッション(12)を上昇及び下降させるために回動でき、
バッククッション(11)又はシートクッション(12)の角度調整用の旋回軸の少なくとも一つを解放可能にし、かつ、その旋回軸を他のクッションの旋回軸の位置の変化に依存して調整できるように配置し、
その結果、二つのクッションが、そのうちの一方を操作するだけで、それらの相互の角度位置を維持しながら一緒に移動できるようにした
ことを特徴とする泌尿器科又は産婦人科用の診察・治療台。
【請求項２】
バッククッション(11)及びシートクッション(12)の旋回軸を可動に構成し、
一つの位置で診察・治療台の各側部にあるブラケット(22)にロック可能にした
ことを特徴とする請求の範囲第１項に記載の診察・治療台。
【請求項３】
ブラケット(22)とバッククッション(11)或いはシートクッション(12)の何れかとの間に、バッククッション(11)又はシートクッション(12)に対するブラケット(22)の角度位置を一時的に固定するための伸長可能な支柱(27)を設け、それにより、それらを共に又は個々に位置決めできるようにした
ことを特徴とする請求の範囲第２項に記載の診察・治療台。
【発明の詳細な説明】
本発明は、改良型の泌尿器科及び婦人科用の台に関し、例えば、泌尿器科及び婦人科での種々の診察及び治療に使用される台に関する。
本発明は、ある程度の泌尿器科診察に関して創作されたものであるので、本質的にそのような使用に関して開示されているが、この使用分野のみに限定するものではない。
高く評価されている泌尿器科及び婦人科用の診察・治療台は、その基本構造において、好ましくは容易に移動可能なフレームを備え、このフレームでバッククッション及びシートクッションに加えて、通常のアームサポート、レッグサポート及びフットサポート等を支持している。このフレームの最下フレーム部分はアームを支持し、このアームは、その最下端部が前記最下フレーム部分に回動可能に連結され、また、その最外上端部でバッククッション及びシートクッションを支持している。従って、これらのクッションは回動可能にジャーナル軸受けされたアームの動きに応じて昇降され得る。また、クッションは、水平面に対するそれらの傾きを調節するために個々に回動され得る。簡単に言うと、これらクッションは、ある位置では水平テーブルを形成するものとして示され、また、別の位置ではイスを形成するものとして示され得る。これらクッションの角度位置は無制限に変えることができ、また、これらクッションの調整は、いわゆるガススプリング等によってなされ得る。通常、回動アームの昇降動作と二つのクッションの角度位置の調整とは、適当な切換モータによって行われる。勿論、公知の診察・治療台はクッションの上昇位置及び傾斜位置を固定するために必要な支持装置及びロック装置を備えている。また、通常、バッククッションは水平位置より下方に、言い換えれば、所謂ショック位置に折り畳むことができ、この位置では、横たわっている患者の頭は体より下方に位置する。
上記した種類の泌尿器科及び婦人科用診察・治療台は、二つのクッションが、それらの高さ位置及びそれらの傾斜位置に関して個別に調節可能なので、様々な要求に対して非常に融通がきく。しかし、この個別に調節が可能なことはまた、ある特定の場合に重要な問題を生じさせる。例えば、クッションの角度位置を、それらの相互の角度位置を変えることなくただ一つの操作で簡単に変更する必要性がある。
本発明は、上記した必要性を満たす装置を提供することを目的としている。
上記した目的のために、最下部分及び最上部分を備え、好ましくは回動アームとして構成されたフレームを有し、前記フレームが、少なくとも水平面に対するその角度位置が個別に調節なバッククッションと、水平面に対するその角度位置を同様に個別に調整可能な少なくとも一つのシートクッションとを昇降可能に支持する本発明による改良型泌尿器科及び婦人科用の診察・治療台は、バッククッション又はシートクッションの角度調節用の少なくとも一つの旋回軸を解放可能にし、かつ、その旋回軸を他方のクッションの旋回軸の位置の変化に依存して調節できるように配置し、その結果、二つのクッションを、それらの一方だけを操作するだけで、それらの相互の角度位置を保持しながら一緒に移動できるように構成されている。
好ましくは、バッククッション及びシートクッションの旋回軸は可動に構成され、一つの位置で診察・治療台の各側部にあるブラケットをロック可能に構成されている。
また、好ましくは、本発明による装置は、既存の診察・治療台に組み込まれ得るべきである。
以下、添付図面を参照して本発明をより詳細に説明する。
第１図は従来の診察・治療台の斜視図であり、本発明による装置が使用される環境を示している。
第２図は、第１図の診察・治療台の側面図を示している。
第３図は、本発明による改良品の一実施例がもうけられた診察・治療台の一部の側面図である。
第４図及び第５図と、第６図及び第７図とは、各々本発明による装置を組み込んだ診察・治療台の二つの異なる使用方法を示しており、第４図及び第５図が「ドイツ」型を示すのに対して第６図及び第７図は「アメリカ」型を示している。
第８図及び第９図は、本発明による装置のさらに改良した実施例の細部を示しており、バッククッション及びシートクッションの二つの位置が実施例として示されている。
本発明による装置が動作する環境の一例として第１図及び第２図に示された泌尿器科及び婦人科用の診察・治療台は、その基本実施例において、容易に移動可能なフレーム１０を備え、このフレーム１０はバッククッション１１及びシートクッション１２に加えて、アームレスト、レッグレスト１３及びフットレストを支持している。（第１図及び第２図にはアームレスト及びフットレストは示されていない。）
フレーム１０は、アーム１５を支持する最下フレーム部分１４を備えている。前記アーム１５は、その最下端部が回動可能にジャーナル軸受けされ、また、その最外端部でバッククッション１１及びシートクッション１２を支持している。従って、これらのクッションは、回動可能にジャーナル軸受けされたアーム１５の動きに応じて昇降され得る。また、クッション１１，１２は水平面に対する傾きを変えるために個々に回動され得る。簡単に説明すると、クッション１１，１２は、ある状態では水平テーブルを形成し、また、別の状態ではイスを形成するものとして説明され得る。以下にこれらについてより詳細に説明する。
クッション１１，１２の傾斜位置は無段階に調整でき、クッション１１，１２の位置は、いわゆるガススプリング１６，１７等によって維持され得る。
回動アーム１５の昇降動作は適当な第１の位置決めモータ１８によって行われ得、また、水平面に対する傾斜位置を調整するためのバッククッションの回動動作は第２の位置決めモータ１９によって行われ得、さらに、水平面に対する傾斜位置を調整するためのシートクッション１２の回動動作は適当な第３の位置決めモータ２０によって行われ得る。
最下フレーム部分１４のブラケット１４Ａには回動アーム１５の最下端部が回動可能にジャーナル軸受けされ、かつ、ガススプリング１７の最下端部も回動可能にジャーナル軸受けされている。上側ブラケット２１には回動アーム１５の最上端部とガススプリング１７の最上端部とが相互に同じ間隔で回動可能にジャーナル軸受けされている。前記最下フレーム部分１４のブラケット１４Ａと上側ブラケット２１とは回動アーム１５とガススプリング１７と共に平行四辺形リンクシステムを形成しており、このリンクシステムにはバッククッション１１とシートクッション１２とが回動可能に連結されている。また、このリンクシステムは、バッククッション及びシートクッションが床面に対して昇降している間、それらの相互の角度位置を維持する。もちろん、これら角度位置は位置決め手段１９，２０の位置に依存している。また、ブラケット２１は、場合に応じて位置決めモータ１９，２０の最下端部を固定支持する機能を持っているので、固定モータ支持部材とも称され得る。
台を安定させるために、好ましくは最上ブラケット２１やガススプリング等は台の両測部に対を成して設けられるが、図面にはそれぞれの対の一方の部材だけが示されている。
本発明による装置の好ましい実施例では、第３図に示すように固定式モータ支持部材２１の代わりに可動ブラケット２２が用いられ、この可動ブラケット２２は、ラッチ２３によって図示された位置にロックされ得る。ブラケット２２は、ロック位置にある時には、固定式支持部材２１に関して上記した説明と同じように機能する。このことは、バッククッション１１及びシートクッション１２が、個々の位置決め手段によって、それらの様々な角度位置に個々に調節可能であることを意味する。
可動ブラケット２２は、上向きに折り畳み可能な支柱２４を有する。この支柱２４は、図面に示すようにバッククッション１１が水平位置にある時に、バッククッション１１のフレームを支持し得る。ここで、バッククッションのフレームが、第３図に波線で示す「ショック位置」まで下方に回動すると、可動ブラケット２２は第３図における時計方向にまわされ、その結果ラッチ２３は解放され得る。その後、バッククッション１１のフレームが上方又は下方に回動すると、可動ブラケット２２に加えてシートクッションのフレームもまた、バッククッションに関するそれらの角度位置を保持しながら、この回動動作に追従する。
上記したように、第４図及び第５図は、非常に概略的に、泌尿器科及び婦人科用診察台における本発明による装置の一つの使用方法を示している。第４図によれば、患者Ｐは足を上方に向けて曲げてバッククッション１１の上に配置されている。「ドイツ式」によれば、この姿勢は、例えば、膀胱Ｂの中にカテーテルを挿入するのに、最も最適であると考えられている。カテーテルの先端が所望の位置まで導入されたことが確認されると、バッククッション１１及びシートクッション１２は、それらの相互の角度位置を維持しながら一緒に同時に回動され、本質的に体重をシートクッション１２にかけて患者を座らせるような位置にされる。この姿勢で、患者の膀胱は放尿口の上の通常の高さに位置し、従って尿圧も通常の圧力になる。
第６図及び第７図によれば、患者Ｐは、適当なフット支持部材２６が設けられた水平なバッククッション／シートクッションユニット上に背中が載るように配置される。「アメリカ式」によればこのユニットは「ドイツ式」より僅かに低いシートクッションを備え、カテーテル等を挿入するために完全な水平位置に維持される。カテーテルが十分に挿入された時、シートクッション及びバッククッションを備えたユニットは第７図に示すほぼ垂直な位置まで回動され、この位置で患者は起立した状態になる。またこの位置で膀胱Ｂが普通の高さに配置され、従って尿圧も通常になることも注意されるべきである。
上記した説明から、言い換えれば、本発明は、個々に角度調節可能なバッククッション及びシートクッションの少なくとも一方を、その通常の支持状態から解放して、二つのクッションがそれらの相互の角度位置を維持しながら一緒に調節できるように一方のクッションを他方のクッションに連結することを可能にすることにあると言うことができることが明らかになるべきである。
以上本発明による装置の「自動式」装置について説明した。もちろん、「操作式」装置も考えられ得る。即ち、ある場合にはバッククッションとシートクッションとを個々に調節可能にし、別の場合には、相互の角度位置を変化させずに一緒に調節可能に位置決め手段の動きを制御する変形例も考えられ得、後者の場合には、一方のクッションだけが調節され、それに追従して他方のクッションが動く。
上記した実施例をさらに少し改良した第８図及び第９図に示す実施例は、可動ブラケット２２とバッククッション１１（より正確にはそのフレーム）との間に入れ子式に伸張可能な支柱２７を有する。このような支柱２７はテーブルの各側部に一つづつ設けられる。支柱２７は、所望の位置で自動的にロックされるよう適応される。例えば、支柱が一方の位置にある時には、弾性ピンが支柱の他方の位置で適当な孔の内部に入る。もちろん、所望の位置で一組の入れ子式支柱を相互にロックするためには、好ましくは容易に解放可能なロック手段が考えられる。支柱をロックすること、また、支柱を解放することによって、バッククッション１１及びシートクッション１２が共同で動くか、又は好ましくは位置決めモータ２８の働きによって、或いは好ましくは第２位置決めモータ２９又は前記位置決めモータ２８の各々の働きによって個々に相互に完全に独立して動くことが達成され得ることが認識されるべきである。
【図１】
0003706630.tif 000002
【図２】
0003706630.tif 000003
【図３】
0003706630.tif 000004
【図４】
0003706630.tif 000005
【図５】
0003706630.tif 000006
【図６】
0003706630.tif 000007
【図７】
0003706630.tif 000008
【図８】
0003706630.tif 000009
【図９】
0003706630.tif 000010